(57)【要約】【課題】  基板の面積を小さくすることが可能であって、正確な製造が容易な電気光学装置を提供する。【解決手段】  電気光学装置は、与えられた電気エネルギにより発光特性が変化する複数のＥＬ素子１６が配列された電気光学パネル１０と、電気光学パネル１０に電気的に接続され、ＥＬ素子１６を駆動または制御する回路を内部に有するＩＣ素子１８と、ＩＣ素子１８が搭載されており、ＩＣ素子１８の内部の回路に電気的に接続された配線が設けられたＦＰＣ２０とを備える。ＩＣ素子１８は、ＦＰＣ２０上の配線に接続される複数の第１の端子パッド３０と、電気光学パネル１０上の配線に接続される複数の第２の端子パッド３２とを有する。【選択図】  図５
2006244888.tif 000002
【特許請求の範囲】
【請求項１】
与えられた電気エネルギにより発光特性または光の透過特性が変化する複数の電気光学素子が配列された電気光学パネルと、
前記電気光学パネルに電気的に接続され、前記電気光学素子を駆動または制御する回路を内部に有する集積回路素子と、
前記集積回路素子が搭載されており、前記集積回路素子の内部の回路に電気的に接続された配線が設けられたフレキシブルプリント基板とを備え、
前記集積回路素子は、前記フレキシブルプリント基板上の配線に接続される複数の第１の端子パッドと、前記電気光学パネル上の配線に接続される複数の第２の端子パッドとを有することを特徴とする電気光学装置。
【請求項２】
請求項１に記載の電気光学装置を製造する方法であって、
前記集積回路素子の前記第１の端子パッドが前記フレキシブルプリント基板上の配線に載るように、前記集積回路素子を前記フレキシブルプリント基板に配置する工程と、
前記集積回路素子の前記第２の端子パッドが前記電気光学パネル上の配線に載るように、前記集積回路素子を前記電気光学パネルに配置する工程とを備えることを特徴とする電気光学装置の製造方法。
【請求項３】
前記集積回路素子を前記フレキシブルプリント基板に配置する工程では、前記集積回路素子の前記第１の端子パッドと前記フレキシブルプリント基板上の配線との間に異方性導電接着剤を介在させ、
前記集積回路素子を前記電気光学パネルに配置する工程では、前記集積回路素子の前記第２の端子パッドと前記電気光学パネル上の配線との間に異方性導電接着剤を介在させ、
これらの異方性導電接着剤により、前記第１の端子パッドと前記フレキシブルプリント基板上の配線、ならびに前記第２の端子パッドと前記電気光学パネル上の配線を同時に接着することを特徴とする請求項２に記載の電気光学装置の製造方法。
【請求項４】
像担持体と、
前記像担持体を帯電する帯電器と、
前記電気光学パネルから放出される光を、前記像担持体の帯電された面に照射して潜像を形成する請求項１に記載の電気光学装置と、
前記潜像にトナーを付着させることにより前記像担持体に顕像を形成する現像器と、
前記像担持体から前記顕像を他の物体に転写する転写器とを備える画像印刷装置。
【請求項５】
請求項１に記載の電気光学装置と、
前記電気光学パネルから放出されて読み取り対象で反射した光を電気信号に変換する受光装置とを備える画像読み取り装置。
【発明の詳細な説明】
【技術分野】
【０００１】
本発明は、発光素子またはライトバルブ素子が配列された電気光学パネルを有する電気光学装置、その製造方法、画像印刷装置および画像読み取り装置に関する。
【背景技術】
【０００２】
発光素子またはライトバルブ素子、すなわち電気光学素子が配列された電気光学パネルは、画像表示装置として広く使用されている。また、このような電気光学パネルは、電子写真方式の画像印刷装置の像担持体（例えば感光体ドラム）に静電潜像を書き込むための発光装置としても使用されている。これらの電気光学パネルの各々は、電気光学素子を駆動または制御するための他の回路に以下のように様々な方式で接続されている。
【０００３】
図１は、従来の電気光学装置の側面図である。図１に示すように、この電気光学装置は、主基板１２と封止体１４を有する電気光学パネルを備える。この電気光学パネルは、エレクトロルミネセント（以下、「ＥＬ」と略す）パネルであり、主基板１２の上に形成された多数のＥＬ素子１６を有する。封止体１４は、主基板１２の上に貼着され、主基板１２と協働してＥＬ素子１６を外気から保護する。
【０００４】
この電気光学パネルの主基板１２には、ＣＯＧ（chip on glass）方式により、集積回路（ＩＣ）素子１８が実装されている。ＩＣ素子１８は、ＥＬ素子１６を駆動または制御する回路を内部に有する。例えば、一つのＩＣ素子１８は走査線駆動回路であり、他の一つのＩＣ素子１８はデータ線駆動回路である。また、主基板１２には、フレキシブルプリント基板（ＦＰＣ）２０が実装されている。図示しないが、ＦＰＣ２０の上面または下面には、外部の電源回路に接続された電源線および外部の信号供給回路に接続された信号線が形成されている。ＩＣ素子１８には、ＦＰＣ２０上の電源線を介して電力が供給され、ＦＰＣ２０上の信号線を介して信号が供給される。
【０００５】
しかし、図１のＣＯＧ方式では、主基板１２の縁にＦＰＣ２０を接続する領域に加えて、ＩＣ素子１８を実装するための領域が必要である。また、主基板１２の縁において、ＩＣ素子１８の両サイドにＩＣ素子１８に接続される配線の領域が必要である。このため、電気光学パネルの小型化が困難である。また、高額な主基板の面積を減少できないので、電気光学パネルの製造コストが高い。図１の電気光学装置と類似の装置は、例えば特許文献１および特許文献２に開示されている。
【０００６】
図２は、従来の他の電気光学装置の側面図である。この電気光学装置では、電気光学パネルの主基板１２ではなく、ＣＯＦ（chip on film）方式により、ＦＰＣ２０にＩＣ素子１８が実装されている。図２において、符号２２は、ＦＰＣ２０にＩＣ素子１８が実装されたＣＯＦアセンブリを示す。
【０００７】
図３は、図２のＦＰＣ２０の下面図である。ＦＰＣ２０には、ＦＰＣ２０上のＩＣ素子１８を外部の装置と接続する一次配線２４と、主基板１２に貼着されてＩＣ素子１８を主基板１２上の多数のＥＬ素子１６と接続する二次配線２６が形成されている。一次配線２４としては、外部の電源回路に接続された電源線および外部の信号供給回路に接続された信号線がある。二次配線２６としては、走査線またはデータ線がある。
【０００８】
【特許文献１】特開２０００−５８２５５号公報
【特許文献２】特開２００１−１３００４８号公報
【発明の開示】
【発明が解決しようとする課題】
【０００９】
図２および図３のＣＯＦ方式では、主基板１２にＩＣ素子１８を実装しないので、主基板１２の幅Ｗを小さくすることができる。しかし、ＣＯＧ方式にせよＣＯＦ方式にせよ、ＦＰＣ２０と主基板１２の接続部分では、図３に示すように、二次配線２６同士のピッチＰは大きくせざるをえないことがある。ＦＰＣ２０と主基板１２の接続を簡単に行う方法としては、異方性導電接着剤で接着する方法があるが、異方性導電接着剤を使用する場合には、これのバインダを加熱する必要があるために、ＦＰＣ２０も加熱される。例えば、まずＦＰＣ２０を加熱し、ＦＰＣ２０から熱伝導により異方性導電接着剤を加熱する手法がとられる。ＦＰＣ２０は例えばポリイミドフィルムなどの熱膨張率が高い材料から形成されているため、ＦＰＣ上の二次配線２６同士のピッチＰが熱によって伸張しやすいので、ピッチＰを小さくすると、ＦＰＣ２０と主基板１２を接続する時にＦＰＣ２０上の配線を主基板１２上の配線に正確に接続することが困難になってしまう。
【００１０】
二次配線２６同士のピッチＰは、通常の異方性導電接着剤を使用する接着作業によれば、少なくとも約５０μｍは必要である。従って、主基板１２の幅Ｗを小さくすることができるのに、主基板１２の奥行きＬを大きくしなければならないことがある。
【００１１】
そこで本発明は、基板の面積を小さくすることが可能であって、正確な製造が容易な電気光学装置、この電気光学装置を効率的に製造する製造方法、ならびにこの電気光学装置を用いた画像印刷装置および画像読み取り装置を提供する。
【課題を解決するための手段】
【００１２】
本発明に係る電気光学装置は、与えられた電気エネルギにより発光特性または光の透過特性が変化する複数の電気光学素子が配列された電気光学パネルと、前記電気光学パネルに電気的に接続され、前記電気光学素子を駆動または制御する回路を内部に有する集積回路素子と、前記集積回路素子が搭載されており、前記集積回路素子の内部の回路に電気的に接続された配線が設けられたフレキシブルプリント基板とを備える。前記集積回路素子は、前記フレキシブルプリント基板上の配線に接続される複数の第１の端子パッドと、前記電気光学パネル上の配線に接続される複数の第２の端子パッドとを有する。
【００１３】
ここで、「電気光学素子」とは、与えられた電気的なエネルギにより光学的特性（発光特性または光の透過特性）が変化する素子を意味する。電気的なエネルギにより光学的特性が変化する素子としては、電気的なエネルギを光学的エネルギに変換する発光素子（例えばエレクトロルミネセント発光素子、プラズマディスプレイ素子）および電気的エネルギにより光の透過率が変化するライトバルブ画素（例えば液晶の画素、電気泳動ディスプレイの画素）がある。「電気光学パネル」は、電気光学素子のアレイが設けられたパネルである。電気光学パネルとしては、画像表示パネルでもよいし、発光パネルでもよい。例えば、電子写真方式の画像印刷装置の像担持体（例えば感光体ドラム）に静電潜像を書き込むための露光装置でもよい。
【００１４】
本発明によれば、集積回路素子は、自分の第１の端子パッドを介してフレキシブルプリント基板に接続され、自分の第２の端子パッドを介して電気光学パネルに接続される。従って、電気光学パネルの縁においては、集積回路素子の第２の端子パッドが電気的に接続される領域が必要であるが、集積回路素子の第１の端子パッドやそれに接続される配線を配置する領域と、フレキシブルプリント基板を接着する領域は、電気光学パネル内に必要とされない。従って、電気光学パネルの幅Ｗを図１の従来の技術に比べて小さくすることが可能である。
【００１５】
また、電気光学パネル上の配線に接続される第２の端子パッドが設けられた集積回路素子は、フレキシブルプリント基板よりも熱膨張率が小さいので、集積回路素子の第２の端子パッド同士のピッチは、異方性導電接着剤を加熱する工程でも伸張しにくい。従って、第２の端子パッド同士のピッチを小さくしても、集積回路素子と電気光学パネルを接続する時に、第２の端子パッドを電気光学パネル上の配線に正確に接続することが従来技術に比べて容易である。従って、電気光学パネルの奥行きＬも従来の技術に比べて小さくすることができる。
【００１６】
本発明に係る電気光学装置を製造する方法は、前記集積回路素子の前記第１の端子パッドが前記フレキシブルプリント基板上の配線に載るように、前記集積回路素子を前記フレキシブルプリント基板に配置する工程と、前記集積回路素子の前記第２の端子パッドが前記電気光学パネル上の配線に載るように、前記集積回路素子を前記電気光学パネルに配置する工程とを備える。この方法において、集積回路素子をフレキシブルプリント基板と電気光学パネルに配置する工程は、極めて近い時期に実行することが可能であるので、効率的に電気光学装置を製造することが可能である。
【００１７】
さらに好ましくは、前記集積回路素子を前記フレキシブルプリント基板に配置する工程では、前記集積回路素子の前記第１の端子パッドと前記フレキシブルプリント基板上の配線との間に異方性導電接着剤を介在させ、前記集積回路素子を前記電気光学パネルに配置する工程では、前記集積回路素子の前記第２の端子パッドと前記電気光学パネル上の配線との間に異方性導電接着剤を介在させ、これらの異方性導電接着剤により、前記第１の端子パッドと前記フレキシブルプリント基板上の配線、ならびに前記第２の端子パッドと前記電気光学パネル上の配線を同時に接着する。これにより、異方性導電接着剤による必要箇所の接着を同時に行うことが可能である。
【００１８】
本発明に係る画像印刷装置は、像担持体と、前記像担持体を帯電する帯電器と、前記電気光学パネルから放出される光を、前記像担持体の帯電された面に照射して潜像を形成する本発明の電気光学装置と、前記潜像にトナーを付着させることにより前記像担持体に顕像を形成する現像器と、前記像担持体から前記顕像を他の物体に転写する転写器とを備える。本発明の電気光学装置が使用されていることにより、この画像印刷装置も小型化することが可能である。
【００１９】
本発明に係る画像読み取り装置は、本発明の電気光学装置と、前記電気光学パネルから放出されて読み取り対象で反射した光を電気信号に変換する受光装置とを備える。本発明の電気光学装置が使用されていることにより、この画像読み取り装置も小型化することが可能である。
【発明を実施するための最良の形態】
【００２０】
以下、添付の図面を参照しながら本発明に係る様々な実施の形態を説明する。なお、図面においては、各部の寸法の比率は実際のものとは適宜に異ならせてある。
【００２１】
＜第１の実施の形態＞
図４は、本発明の第１の実施の形態に係る電気光学装置の概略を示す側面図である。図４に示すように、この電気光学装置は、主基板１２と封止体１４を有する電気光学パネル１０を備える。この電気光学パネル１０は、画像表示用のＥＬパネルであり、主基板１２の上に形成された多数のＥＬ素子１６を有する。ここで、ＥＬ素子１６は有機ＥＬ素子でもよいし、無機ＥＬ素子でもよい。封止体１４は、主基板１２の上に接着剤で貼着され、主基板１２と協働してＥＬ素子１６を外気から保護する。
【００２２】
この電気光学パネル１０の主基板１２の縁部には、ＣＯＦアセンブリ２２が実装されている。ＣＯＦアセンブリ２２は、ＦＰＣ２０とこれに実装されたＩＣ素子１８を有する。ＩＣ素子１８は、ＥＬ素子１６を駆動または制御する回路を内部に有する。例えば、一つのＩＣ素子１８は走査線駆動回路であり、他の一つのＩＣ素子１８はデータ線駆動回路である。ＦＰＣ２０は例えばポリイミドフィルムから形成され、図４には示されないが、ＦＰＣ２０の上面には、外部の電源回路に接続された電源線および外部の信号供給回路に接続された信号線が形成されている。ＩＣ素子１８には、ＦＰＣ２０上の電源線を介して電力が供給され、ＦＰＣ２０上の信号線を介して信号が供給される。
【００２３】
ＣＯＦアセンブリ２２において、ＩＣ素子１８はＦＰＣ２０の端縁に取り付けられている。図４の部分Ａ、すなわちＩＣ素子１８の取付部分付近を拡大して図５に示す。図４の部分Ｂも方向が逆であるが同様の構成である。
【００２４】
図６はＦＰＣ２０の下面図である。図６に示すように、ＦＰＣ２０には、ＦＰＣ２０上のＩＣ素子１８を外部の装置と接続する一次配線４４が形成されている。他方、電気光学パネル１０の主基板１２には、ＩＣ素子１８に接続されて主基板１２上の多数のＥＬ素子１６とを駆動する二次配線４６が形成されている。一次配線４４としては、外部の電源回路に接続された電源線および外部の信号供給回路に接続された信号線がある。二次配線４６としては、走査線またはデータ線がある。
【００２５】
図５および図６に示すように、ＩＣ素子１８には、その下面から下向きに突出する複数の端子パッド３０，３２が設けられている。端子パッド３０，３２のうち、ＦＰＣ２０上の一次配線４４に接続されるのが第１の端子パッド３０であり、電気光学パネル１０の主基板１２上の二次配線４６に接続されるのが第２の端子パッド３２である。第２の端子パッド３２は、第１の端子パッド３０よりも長く延びており、ＦＰＣ２０の端縁に形成された貫通孔３４を通過させられている。但し、第２の端子パッド３２は、主基板１２に電気的に接続され、ＦＰＣ２０には電気的に接続されない。
【００２６】
端子パッド３０，３２の各々の端面は、異方性導電接着剤３８により、ＦＰＣ２０または主基板１２に接着されている。異方性導電接着剤３８としては、異方性導電膜（ＡＣＦ）でもよいし、異方性導電ペースト（ＡＣＰ）でもよい。異方性導電ペーストを使用する場合には、異方性導電ペーストは硬化前の流動性が高いので、ＦＰＣ２０および主基板１２には、端子パッド３０，３２と接合される部分に、流動性のある異方性導電ペーストをとどめておくためにバンクをあらかじめ形成しておくことが好ましい。
【００２７】
別な形態として、必要な位置での電気的接続が得られるのであれば、異方性導電接着剤３８を使用せずに、端子パッド３０，３２の端面を、ＦＰＣ２０および主基板１２の配線上の必要な位置に載せるだけでもよい。
【００２８】
次に、この電気光学装置の製造方法を述べる。まず図７に示すように、端子パッド３０，３２を有するＩＣ素子１８を準備する。また、電源線および信号線（図６の一次配線４４）が設けられ、貫通孔３４を有するＦＰＣ２０を準備する。
【００２９】
次に、図８に示すように、第２の端子パッド３２をＦＰＣ２０の貫通孔３４に通し、第１の端子パッド３０をＦＰＣ２０上の電源線および信号線に載せて電気的に接続するように、ＩＣ素子１８をＦＰＣ２０に配置し、ＣＯＦアセンブリ２２を形成する。さらに、図５に示すように、第２の端子パッド３２を電気光学パネル１０の主基板１２上のデータ線および走査線（図６の二次配線４６）に載せて電気的に接続するように、ＩＣ素子１８を主基板１２に配置する。この方法において、ＩＣ素子１８をＦＰＣ２０と電気光学パネル１０に配置する工程は、極めて近い時期に実行することが可能であるので、効率的に電気光学装置１０を製造することが可能である。
【００３０】
異方性導電接着剤３８を使用して、端子パッド３０，３２を所定位置に機械的に固定する場合には、ＩＣ素子１８をＦＰＣ２０に配置する工程（図８)では、ＩＣ素子１８の第１の端子パッド３０とＦＰＣ２０上の一次配線との間に異方性導電接着剤３８を介在させる。また、ＩＣ素子１８を電気光学パネル１０の主基板１２に配置する工程（図５)では、ＩＣ素子１８の第２の端子パッド３２と主基板１２上の二次配線との間に異方性導電接着剤３８を介在させる。
【００３１】
異方性導電接着剤３８は、加熱および加圧されて所定位置にて圧着すなわち硬化させられる。ＩＣ素子１８に対してＦＰＣ２０および電気光学パネル１０の主基板１２をそれぞれ別な時に押圧して、ＩＣ素子１８の第１の端子パッド３０とＦＰＣ２０との異方性導電接着剤３８による圧着と、ＩＣ素子１８の第２の端子パッド３２と主基板１２との異方性導電接着剤３８による圧着とを別な時に行ってもよい。但し、ＩＣ素子１８に対してＦＰＣ２０および電気光学パネル１０の主基板１２を同時に押圧して、ＩＣ素子１８の第１の端子パッド３０とＦＰＣ２０との異方性導電接着剤３８による圧着と、ＩＣ素子１８の第２の端子パッド３２と主基板１２との異方性導電接着剤３８による圧着とを同時に行うと好ましい。これにより、異方性導電接着剤３８による必要箇所の接着を同時に行うことが可能である。
【００３２】
この実施の形態によれば、ＩＣ素子１８は、自分の第１の端子パッド３０を介してＦＰＣ２０に接続され、自分の第２の端子パッド３２を介して電気光学パネル１０の主基板１２に接続される。従って、電気光学パネル１０の主基板１２の縁においては、ＩＣ素子１８の第２の端子パッド３２が電気的に接続される領域が必要であるが、ＩＣ素子１８の第１の端子パッド３０やそれに接続される配線を配置する領域と、ＦＰＣ２０を接着する領域は、電気光学パネル１０内に必要とされない。従って、電気光学パネル１０の幅Ｗを図１の従来の技術に比べて小さくすることが可能である。
【００３３】
また、電気光学パネル１０上の配線に接続される第２の端子パッド３２が設けられたＩＣ素子１８は、ＦＰＣ２０よりも熱膨張率が小さいので、ＩＣ素子１８の第２の端子パッド３２同士のピッチは、異方性導電接着剤３８を加熱する工程でも伸張しにくい。従って、第２の端子パッド３８同士のピッチを小さくしても、ＩＣ素子１８と電気光学パネル１０を接続する時に、第２の端子パッド３２を電気光学パネル１０上の配線に正確に接続することが従来技術に比べて容易である。従って、電気光学パネル１０の奥行きＬも従来の技術に比べて小さくすることができる。
【００３４】
＜第２の実施の形態＞
図９は、本発明の第２の実施の形態に係る電気光学装置の概略を示す側面図である。第２の実施の形態に関する図面において、第１の実施の形態と共通する構成要素を示すには同一の符号が使用されており、それらの詳細な説明はしない。
【００３５】
第２の実施の形態と第１の実施の形態との相違は、ＩＣ素子１８における端子パッド３０，３２の配置である。具体的には、第２の実施の形態では、第１の端子パッド３０はＩＣ素子１８の一端部側のみに設けられているので、ＦＰＣ２０に接続しやすくなっており、第１の端子パッド３０より長い第２の端子パッド３２はＩＣ素子１８の他端部側のみに設けられているので、電気光学パネル１０の主基板１２に接続しやすくなっている。従って、ＦＰＣ２０には貫通孔３４が形成されていない。
【００３６】
次に、この電気光学装置の製造方法を述べる。まず図１０に示すように、端子パッド３０，３２を有するＩＣ素子１８を準備する。また、電源線および信号線（図６の一次配線４４）が設けられたＦＰＣ２０を準備する。
【００３７】
次に、図１１に示すように、第１の端子パッド３０をＦＰＣ２０上の電源線および信号線に載せて電気的に接続するように、ＩＣ素子１８をＦＰＣ２０に配置し、ＣＯＦアセンブリ２２を形成する。さらに、図９に示すように、第２の端子パッド３２を電気光学パネル１０の主基板１２上のデータ線および走査線（図６の二次配線）に載せて電気的に接続するように、ＩＣ素子１８を主基板１２に配置する。但し、ＩＣ素子１８を主基板１２に接続する工程は、ＩＣ素子１８をＦＰＣ２０に接続する工程の前に行ってもよい。これらのいずれかの方法において、ＩＣ素子１８をＦＰＣ２０と電気光学パネル１０に配置する工程は、極めて近い時期に実行することが可能であるので、効率的に電気光学装置１０を製造することが可能である。
【００３８】
異方性導電接着剤３８を使用して、端子パッド３０，３２を所定位置に機械的に固定する場合には、ＩＣ素子１８をＦＰＣ２０に配置する工程（図１０)では、ＩＣ素子１８の第１の端子パッド３０とＦＰＣ２０上の一次配線との間に異方性導電接着剤３８を介在させる。また、ＩＣ素子１８を電気光学パネル１０の主基板１２に配置する工程（図９)では、ＩＣ素子１８の第２の端子パッド３２と主基板１２上の二次配線との間に異方性導電接着剤３８を介在させる。
【００３９】
異方性導電接着剤３８は、加熱および加圧されて所定位置にて圧着すなわち硬化させられる。ＩＣ素子１８に対してＦＰＣ２０および電気光学パネル１０の主基板１２をそれぞれ別な時に押圧して、ＩＣ素子１８の第１の端子パッド３０とＦＰＣ２０との異方性導電接着剤３８による圧着と、ＩＣ素子１８の第２の端子パッド３２と主基板１２との異方性導電接着剤３８による圧着とを別な時に行ってもよい。但し、ＩＣ素子１８に対してＦＰＣ２０および電気光学パネル１０の主基板１２を同時に押圧して、ＩＣ素子１８の第１の端子パッド３０とＦＰＣ２０との異方性導電接着剤３８による圧着と、ＩＣ素子１８の第２の端子パッド３２と主基板１２との異方性導電接着剤３８による圧着とを同時に行うと好ましい。これにより、異方性導電接着剤３８による必要箇所の接着を同時に行うことが可能である。
【００４０】
この実施の形態に係る電気光学装置も第１の実施の形態と同様の効果を達成することが可能である。
【００４１】
＜変形例＞
以上、電気光学パネル１０として画像表示用のＥＬパネルを有する電気光学装置を本発明の実施の形態として説明したが、他の電気光学パネルを有する電気光学装置にも上述した特徴を応用してもよい。例えば、本発明に係る電気光学装置の電気光学パネルは、画像表示用でなくてもよく、各種の露光用の電気光学パネルまたは照明用の電気光学パネルであってもよい。また、本発明に係る電気光学装置の電気光学パネルは、ＥＬパネルに限らず、他の種類の発光素子が配列された発光パネル（例えばプラズマ発光パネル）でもよいし、与えられた電気的エネルギにより光の透過率が変化するライトバルブ画素が多数配列されたライトバルブパネル、例えば液晶パネル、電気泳動ライトバルブパネルでもよい。
【００４２】
上述した実施の形態において、ＩＣ素子１８は、画像表示用の電気光学素子を駆動する走査線駆動回路およびデータ線駆動回路をそれぞれ内蔵するが、露光用または照明用の他の種類の駆動回路を内蔵していてもよい。また、ＩＣ素子１８は、電気光学素子を制御する他の種類の回路を内蔵していてもよい。ＩＣ素子１８の個数は、特に限定されない。
【００４３】
＜画像印刷装置＞
上記の変形例の電気光学装置の電気光学パネルは、電子写真方式を利用した画像印刷装置における像担持体に潜像を書き込むためのライン型の光ヘッドとして用いることが可能である。画像印刷装置の例としては、プリンタ、複写機の印刷部分およびファクシミリの印刷部分がある。
【００４４】
図１２は、上記の変形例の電気光学装置の電気光学パネルをライン型の光ヘッドとして用いた画像印刷装置の一例を示す縦断面図である。この画像印刷装置は、ベルト中間転写体方式を利用したタンデム型のフルカラー画像印刷装置である。
【００４５】
この画像印刷装置では、同様な構成の４個の有機ＥＬアレイ露光ヘッド１０Ｋ，１０Ｃ，１０Ｍ，１０Ｙが、同様な構成である４個の感光体ドラム（像担持体）１１０Ｋ，１１０Ｃ，１１０Ｍ，１１０Ｙの露光位置にそれぞれ配置されている。有機ＥＬアレイ露光ヘッド１０Ｋ，１０Ｃ，１０Ｍ，１０Ｙは上述した変形例の電気光学装置の電気光学パネルである。
【００４６】
図１２に示すように、この画像印刷装置には、駆動ローラ１２１と従動ローラ１２２が設けられており、これらのローラ１２１，１２２には無端の中間転写ベルト１２０が巻回されて、矢印に示すようにローラ１２１，１２２の周囲を回転させられる。図示しないが、中間転写ベルト１２０に張力を与えるテンションローラなどの張力付与手段を設けてもよい。
【００４７】
この中間転写ベルト１２０の周囲には、互いに所定間隔をおいて４個の外周面に感光層を有する感光体ドラム１１０Ｋ，１１０Ｃ，１１０Ｍ，１１０Ｙが配置される。添え字Ｋ，Ｃ，Ｍ，Ｙはそれぞれ黒、シアン、マゼンタ、イエローの顕像を形成するために使用されることを意味している。他の部材についても同様である。感光体ドラム１１０Ｋ，１１０Ｃ，１１０Ｍ，１１０Ｙは、中間転写ベルト１２０の駆動と同期して回転駆動される。
【００４８】
各感光体ドラム１１０（Ｋ，Ｃ，Ｍ，Ｙ）の周囲には、コロナ帯電器１１１（Ｋ，Ｃ，Ｍ，Ｙ）と、有機ＥＬアレイ露光ヘッド１０（Ｋ，Ｃ，Ｍ，Ｙ）と、現像器１１４（Ｋ，Ｃ，Ｍ，Ｙ）が配置されている。コロナ帯電器１１１（Ｋ，Ｃ，Ｍ，Ｙ）は、対応する感光体ドラム１１０（Ｋ，Ｃ，Ｍ，Ｙ）の外周面を一様に帯電させる。有機ＥＬアレイ露光ヘッド１０（Ｋ，Ｃ，Ｍ，Ｙ）は、感光体ドラムの帯電させられた外周面に静電潜像を書き込む。各有機ＥＬアレイ露光ヘッド１０（Ｋ，Ｃ，Ｍ，Ｙ）は、複数のＥＬ素子１６の配列方向が感光体ドラム１１０（Ｋ，Ｃ，Ｍ，Ｙ）の母線（主走査方向）に沿うように設置される。静電潜像の書き込みは、上記の複数のＥＬ素子１６により光を感光体ドラムに照射することにより行う。現像器１１４（Ｋ，Ｃ，Ｍ，Ｙ）は、静電潜像に現像剤としてのトナーを付着させることにより感光体ドラムに顕像すなわち可視像を形成する。
【００４９】
このような４色の単色顕像形成ステーションにより形成された黒、シアン、マゼンタ、イエローの各顕像は、中間転写ベルト１２０上に順次一次転写されることにより、中間転写ベルト１２０上で重ね合わされて、この結果フルカラーの顕像が得られる。中間転写ベルト１２０の内側には、４つの一次転写コロトロン（転写器）１１２（Ｋ，Ｃ，Ｍ，Ｙ）が配置されている。一次転写コロトロン１１２（Ｋ，Ｃ，Ｍ，Ｙ）は、感光体ドラム１１０（Ｋ，Ｃ，Ｍ，Ｙ）の近傍にそれぞれ配置されており、感光体ドラム１１０（Ｋ，Ｃ，Ｍ，Ｙ）から顕像を静電的に吸引することにより、感光体ドラムと一次転写コロトロンの間を通過する中間転写ベルト１２０に顕像を転写する。
【００５０】
最終的に画像を形成する対象としてのシート１０２は、ピックアップローラ１０３によって、給紙カセット１０１から１枚ずつ給送されて、駆動ローラ１２１に接した中間転写ベルト１２０と二次転写ローラ１２６の間のニップに送られる。中間転写ベルト１２０上のフルカラーの顕像は、二次転写ローラ１２６によってシート１０２の片面に一括して二次転写され、定着部である定着ローラ対１２７を通ることでシート１０２上に定着される。この後、シート１０２は、排紙ローラ対１２８によって、装置上部に形成された排紙カセット上へ排出される。
【００５１】
図１２の画像印刷装置は、書き込み手段として上記の変形例の電気光学装置を用いているので、レーザ走査光学系を用いた場合よりも、装置の小型化を図ることができる。また、上述した通り変形例の電気光学装置は従来よりも小型化することができるので、感光体ドラム１１０Ｋ，１１０Ｃ，１１０Ｍ，１１０Ｙに近い位置に配置することが可能であり、画像印刷装置もより小型化することが可能である。
【００５２】
次に、本発明に係る画像印刷装置の他の変形例について説明する。
図１３は、上記の変形例の電気光学装置の電気光学パネルをライン型の光ヘッドとして用いた他の画像印刷装置の縦断面図である。この画像印刷装置は、ベルト中間転写体方式を利用したロータリ現像式のフルカラー画像印刷装置である。図１３に示す画像印刷装置において、感光体ドラム（像担持体）１６５の周囲には、コロナ帯電器１６８、ロータリ式の現像ユニット１６１、有機ＥＬアレイ露光ヘッド１６７、中間転写ベルト１６９が設けられている。
【００５３】
コロナ帯電器１６８は、感光体ドラム１６５の外周面を一様に帯電させる。有機ＥＬアレイ露光ヘッド１６７は、感光体ドラム１６５の帯電させられた外周面に静電潜像を書き込む。有機ＥＬアレイ露光ヘッド１６７は、上述した変形例の電気光学装置であり、複数のＥＬ素子１６の配列方向が感光体ドラム１６５の母線（主走査方向）に沿うように設置される。静電潜像の書き込みは、上記の複数のＥＬ素子１６により光を感光体ドラムに照射することにより行う。
【００５４】
現像ユニット１６１は、４つの現像器１６３Ｙ，１６３Ｃ，１６３Ｍ，１６３Ｋが９０°の角間隔をおいて配置されたドラムであり、軸１６１ａを中心にして反時計回りに回転可能である。現像器１６３Ｙ，１６３Ｃ，１６３Ｍ，１６３Ｋは、それぞれイエロー、シアン、マゼンタ、黒のトナーを感光体ドラム１６５に供給して、静電潜像に現像剤としてのトナーを付着させることにより感光体ドラム１６５に顕像すなわち可視像を形成する。
【００５５】
無端の中間転写ベルト１６９は、駆動ローラ１７０ａ、従動ローラ１７０ｂ、一次転写ローラ１６６およびテンションローラに巻回されて、これらのローラの周囲を矢印に示す向きに回転させられる。一次転写ローラ１６６は、感光体ドラム１６５から顕像を静電的に吸引することにより、感光体ドラムと一次転写ローラ１６６の間を通過する中間転写ベルト１６９に顕像を転写する。
【００５６】
具体的には、感光体ドラム１６５の最初の１回転で、露光ヘッド１６７によりイエロー（Ｙ）像のための静電潜像が書き込まれて現像器１６３Ｙにより同色の顕像が形成され、さらに中間転写ベルト１６９に転写される。また、次の１回転で、露光ヘッド１６７によりシアン（Ｃ）像のための静電潜像が書き込まれて現像器１６３Ｃにより同色の顕像が形成され、イエローの顕像に重なり合うように中間転写ベルト１６９に転写される。そして、このようにして感光体ドラム９が４回転する間に、イエロー、シアン、マゼンタ、黒の顕像が中間転写ベルト１６９に順次重ね合わせられ、この結果フルカラーの顕像が転写ベルト１６９上に形成される。最終的に画像を形成する対象としてのシートの両面に画像を形成する場合には、中間転写ベルト１６９に表面と裏面の同色の顕像を転写し、次に中間転写ベルト１６９に表面と裏面の次の色の顕像を転写する形式で、フルカラーの顕像を中間転写ベルト１６９上で得る。
【００５７】
画像印刷装置には、シートが通過させられるシート搬送路１７４が設けられている。シートは、給紙カセット１７８から、ピックアップローラ１７９によって１枚ずつ取り出され、搬送ローラによってシート搬送路１７４を進行させられ、駆動ローラ１７０ａに接した中間転写ベルト１６９と二次転写ローラ１７１の間のニップを通過する。二次転写ローラ１７１は、中間転写ベルト１６９からフルカラーの顕像を一括して静電的に吸引することにより、シートの片面に顕像を転写する。二次転写ローラ１７１は、図示しないクラッチにより中間転写ベルト１６９に接近および離間させられるようになっている。そして、シートにフルカラーの顕像を転写する時に二次転写ローラ１７１は中間転写ベルト１６９に当接させられ、中間転写ベルト１６９に顕像を重ねている間は二次転写ローラ１７１から離される。
【００５８】
上記のようにして画像が転写されたシートは定着器１７２に搬送され、定着器１７２の加熱ローラ１７２ａと加圧ローラ１７２ｂの間を通過させられることにより、シート上の顕像が定着する。定着処理後のシートは、排紙ローラ対１７６に引き込まれて矢印Ｆの向きに進行する。両面印刷の場合には、シートの大部分が排紙ローラ対１７６を通過した後、排紙ローラ対１７６が逆方向に回転させられ、矢印Ｇで示すように両面印刷用搬送路１７５に導入される。そして、二次転写ローラ１７１により顕像がシートの他面に転写され、再度定着器１７２で定着処理が行われた後、排紙ローラ対１７６でシートが排出される。
【００５９】
図１３の画像印刷装置は、書き込み手段として有機ＥＬアレイを有する露光ヘッド１６７（上記の変形例の電気光学装置の電気光学パネル）を用いているので、レーザ走査光学系を用いた場合よりも、装置の小型化を図ることができる。また、上述した通り電気光学装置は従来よりも小型化することができるので、感光体ドラム１６５に近い位置に配置することが可能であり、画像印刷装置もより小型化することが可能である。
【００６０】
以上、上記の変形例の電気光学装置を応用可能な画像印刷装置を例示したが、他の電子写真方式の画像印刷装置にも上記の変形例の電気光学装置を応用することが可能であり、そのような画像印刷装置は本発明の範囲内にある。例えば、中間転写ベルトを使用せずに感光体ドラムから直接シートに顕像を転写するタイプの画像印刷装置や、モノクロの画像を形成する画像印刷装置にも上記の変形例の電気光学装置を応用することが可能である。
【００６１】
＜画像読み取り装置＞
また、上記の変形例の電気光学装置は、画像読み取り装置における読み取り対象に光を照射するためのライン型の光ヘッドとして用いることが可能である。画像読み取り装置の例としては、スキャナ、複写機の読み取り部分、ファクシミリの読み取り部分、バーコードリーダおよび、例えばＱＲコード（登録商標）のような二次元画像コードを読む二次元画像コードリーダがある。
【００６２】
図１４は、上記の変形例の電気光学装置をライン型の光ヘッドとして用いた画像読み取り装置の一例を示す縦断面図である。この画像読み取り装置のキャビネット２０１の上部には、平板状のプラテンガラス２０２が設けられており、プラテンガラス２０２には原稿２０３がその画像面を下方に向けて載置される。そして、図示しないプラテンカバーが原稿２０３をプラテンガラス２０２に向けて押さえる。
【００６３】
キャビネット２０１の内部には、高速キャリッジ２０４と低速キャリッジ２０５が横方向に移動可能に配置されている。高速キャリッジ２０４には原稿２０３を照射する有機ＥＬアレイ露光ヘッド２０６と反射鏡２０７が搭載されており、低速キャリッジ２０５には二つの反射鏡２０８，２０９が搭載されている。これらの有機ＥＬアレイ露光ヘッド２０６および反射鏡２０７，２０８，２０９は図１４の紙面垂直方向（主走査方向）に延びている。また、有機ＥＬアレイ露光ヘッド２０６は、複数のＥＬ素子１６の配列方向が主走査方向に沿うように設置される。
【００６４】
また、キャビネット２０１の内部の固定位置には、原稿読み取り器２１０が配置されている。この原稿読み取り器２１０は、結像レンズ２１２と、多数の感光画素（電荷結合素子）から構成されるラインセンサ（受光装置）２１３を備える。ラインセンサ２１３は図１４の紙面垂直方向（主走査方向）に延びており、複数の感光画素の配列方向が主走査方向に沿うように設置される。
【００６５】
有機ＥＬアレイ露光ヘッド２０６から発した光は、プラテンガラス２０２を透過して原稿２０３の下面で反射する。原稿２０３からの反射光は、プラテンガラス２０２を透過し、反射鏡２０７〜２０９で反射した後、結像レンズ２１２によりラインセンサ２１３で結像する。高速キャリッジ２０４は横方向に移動して、原稿２０３の全面が有機ＥＬアレイ露光ヘッド２０６で照射されるようにし、低速キャリッジ２０５は高速キャリッジ２０４の半分の速度で移動して、原稿２０３からラインセンサ２１３に到る反射光路の長さを一定に維持する。
【００６６】
以上、上記の変形例の電気光学装置を応用可能な画像読み取り装置を例示したが、他の画像読み取り置にも上記の変形例の電気光学装置を応用することが可能であり、そのような画像印刷装置は本発明の範囲内にある。例えば、受光装置が照明装置としての電気光学装置と共に移動してもよいし、受光装置と電気光学装置が共に固定されて原稿または読み取り対象が移動して読み取られるようにしてもよい。
【図面の簡単な説明】
【００６７】
【図１】従来の電気光学装置の側面図である。
【図２】従来の他の電気光学装置の側面図である。
【図３】図２の電気光学装置のＦＰＣの下面図である。
【図４】本発明の第１の実施の形態に係る電気光学装置の概略を示す側面図である。
【図５】図４の部分Ａの拡大図である。
【図６】図５の電気光学装置のＦＰＣの下面図である。
【図７】本発明の第１の実施の形態に係る電気光学装置の製造方法の一工程を示す図である。
【図８】図７の次の工程を示す図である。
【図９】本発明の第２の実施の形態に係る電気光学装置の概略を示す側面図である。
【図１０】本発明の第２の実施の形態に係る電気光学装置の製造方法の一工程を示す図である。
【図１１】図１０の次の工程を示す図である。
【図１２】本発明の変形例の電気光学装置の電気光学パネルをライン型の光ヘッドとして用いた画像印刷装置の一例を示す縦断面図である。
【図１３】本発明の変形例の電気光学装置の電気光学パネルをライン型の光ヘッドとして用いた画像印刷装置の他の例を示す縦断面図である。
【図１４】本発明の変形例の電気光学装置をライン型の光ヘッドとして用いた画像読み取り装置の一例を示す縦断面図である。
【符号の説明】
【００６８】
１０…電気光学パネル、１２…主基板、１４…封止体、１６…ＥＬ素子（エレクトロルミネセント素子、電気光学素子）、１８…ＩＣ素子（集積回路素子）、２０…ＦＰＣ（フレキシブルプリント基板）、２２…ＣＯＦ（chip on film）アセンブリ、２４…一次配線、２６…二次配線、３０…第１の端子パッド、３２…第２の端子パッド、３４…貫通孔、３８…異方性導電接着剤、４４…一次配線、４６…二次配線。
【図１】
2006244888.tif 000003
【図２】
2006244888.tif 000004
【図３】
2006244888.tif 000005
【図４】
2006244888.tif 000006
【図５】
2006244888.tif 000007
【図６】
2006244888.tif 000008
【図７】
2006244888.tif 000009
【図８】
2006244888.tif 000010
【図９】
2006244888.tif 000011
【図１０】
2006244888.tif 000012
【図１１】
2006244888.tif 000013
【図１２】
2006244888.tif 000014
【図１３】
2006244888.tif 000015
【図１４】
2006244888.tif 000016